(57)【要約】【課題】施設における各種電力系統毎に消費電力を安価に推定すること。【解決手段】電力監視システム１０を次の電力監視装置１１を用いて構成する。空調電力推定部７５で、通信アダプタ１５から空調情報受信部７１で受信された電流値を用いてＰＡＣ空調機２０の消費電力を推定し、照明電力推定部７６で、照明制御システム４０から照明情報受信部７３で受信された照明器具４２ａ〜４２ｎ１台毎のオン／オフ情報を用いて照明点灯台数分の消費電力を推定し、コンセント電力推定部７８で、ＰＣ情報取得システム５０からＰＣ情報受信部７４で受信された各ＰＣ５１ａ〜５１ｎのオン／オフ情報を用いてコンセント消費電力を推定する。電力割合演算部７９で、全推定消費電力より各電力系統の消費電力割合を求める。電力換算部８０で、電力計１２のビル（施設）全体の計測消費電力を、消費電力割合で比例配分して各電力系統の消費電力を求める。【選択図】  図１
2014120108.tif 000002
【特許請求の範囲】
【請求項１】
管理対象である施設に設置されている空調機器の作動状況の情報を用いて当該空調機器の消費電力を推定する空調電力推定手段と、
前記施設に設置されている複数の照明器具１台毎の作動状況の情報を用いて照明器具の消費電力を推定する照明電力推定手段と、
前記施設に設置されている少なくともコンピュータの消費電力を含む、コンセント消費電力を推定するコンセント電力推定手段と、
前記推定された前記空調機器の消費電力、前記照明器具の消費電力、前記コンセント消費電力を合計した合計消費電力を求め、この合計消費電力に対する前記空調機器、前記照明器具及び前記コンセントの各電力系統の消費電力割合を求める電力割合演算手段と、
前記施設に設置されている電力計で計測される当該施設全体の消費電力を、前記電力割合演算手段で求められた各電力系統の消費電力割合で比例配分して各電力系統の消費電力を求める電力換算手段と
を備えることを特徴とする電力監視装置。
【請求項２】
請求項１に記載の電力監視装置にあって、
前記電力換算手段で求められた各電力系統の消費電力を表示する表示手段
を更に備えることを特徴とする電力監視装置。
【請求項３】
請求項１又は請求項２に記載の電力監視装置と、
前記施設全体の電気設備の消費電力を計測する電力計と、
前記施設全体の空調機器の作動状態の情報を取得して前記通信回線を介して前記空調電力推定手段へ送信する通信手段と、
前記施設全体の照明器具１台毎の作動状態の情報を取得して前記通信回線を介して前記照明電力推定手段へ送信する照明制御手段と、
前記施設全体の少なくともコンピュータの作動状態の情報を取得して前記通信回線を介して前記コンセント電力推定手段へ送信するＰＣ情報取得手段と
を備え、
前記電力監視装置において、
前記空調電力推定手段は、前記通信手段から受信された空調機器の作動状態の情報を用いて前記空調機器の消費電力を推定し、
前記照明電力推定手段は、前記照明制御手段から受信された照明器具１台毎の作動状態の情報を用いて前記照明器具の消費電力を推定し、
前記コンセント電力推定手段は、前記ＰＣ情報取得手段から受信された少なくともコンピュータの作動状態の情報を用いて前記コンセント消費電力を推定し、
前記電力割合演算手段は、前記推定された前記空調機器の消費電力、前記照明器具の消費電力、前記コンセント消費電力を用いて前記各電力系統の消費電力割合を求め、
前記電力換算手段は、前記電力計で計測される施設全体の消費電力を通信回線を介して受信し、この受信した消費電力を前記消費電力割合で比例配分して前記各電力系統の消費電力を求める
ことを特徴とする電力監視システム。
【請求項４】
請求項３に記載の電力監視システムにあって、
前記施設が複数階建の場合に各階のフロア毎に、
該当フロアの電気設備の消費電力を計測する電力計と、
該当フロアの空調機器の作動状態の情報を取得して前記通信回線を介して前記空調電力推定手段へ送信する通信手段と、
該当フロアの照明器具１台毎の作動状態の情報を取得して前記通信回線を介して前記照明電力推定手段へ送信する照明制御手段と、
該当フロアの少なくともコンピュータの作動状態の情報を取得して前記通信回線を介して前記コンセント電力推定手段へ送信するＰＣ情報取得手段と
を備え、
前記電力監視装置において、
前記空調電力推定手段は、前記フロア毎の通信手段から受信された空調機器の作動状態の情報を用いて当該フロア毎に前記空調機器の消費電力を推定し、
前記照明電力推定手段は、前記フロア毎の照明制御手段から受信された照明器具１台毎の作動状態の情報を用いて当該フロア毎に前記照明器具の消費電力を推定し、
前記コンセント電力推定手段は、前記フロア毎のＰＣ情報取得手段から受信された少なくともコンピュータの作動状態の情報を用いて当該フロア毎に前記コンセント消費電力を推定し、
前記電力割合演算手段は、前記フロア毎に推定された前記空調機器の消費電力、前記照明器具の消費電力、前記コンセント消費電力の合計をフロア毎に計算し、当該フロア毎に前記各電力系統の消費電力割合を求め、
前記電力換算手段は、前記フロア毎の電力計で計測される当該フロア毎の電気設備の消費電力を通信回線を介して受信し、この受信したフロア毎の消費電力をフロア毎の前記消費電力割合で比例配分してフロア毎に前記各電力系統の消費電力を求める
ことを特徴とする電力監視システム。
【請求項５】
請求項３又は請求項４に記載の電力監視システムにあって、
前記通信回線は、無線ＬＡＮ回線である
ことを特徴とする電力監視システム。
【請求項６】
請求項３又は請求項４に記載の電力監視システムにあって、
前記施設に設けられた各部屋の出入口に設置され、固有情報を記憶するカードから当該固有情報を読み取るカードリーダを有し、当該カードリーダで読み取られた各部屋への人の入室又は退室情報が付された固有情報を、前記通信回線を介して前記照明電力推定手段へ送信する入退室管理手段
を更に備え、
前記照明電力推定手段は、前記入退室管理手段から受信された固有情報に対応する座席位置を認識し、この座席位置に予め対応付けられた所定台数の照明器具が、当該固有情報に入室情報が付されている場合は点灯と判断し、この点灯台数に照明器具１台当たりの消費電力を乗算して照明器具の消費電力を求め、この消費電力を、これ以前に求められている前記施設全体の照明器具の消費電力に加算し、この加算結果を照明器具の消費電力と推定し、この推定と、前記オン／オフ情報を用いた照明器具の消費電力の推定との何れかの推定処理を行う
ことを特徴とする電力監視システム。
【請求項７】
請求項６に記載の電力監視システムにあって、
前記照明電力推定手段は、前記固有情報に退室情報が付されている場合は消灯と判断し、この消灯台数に照明器具１台当たりの消費電力を乗算して消灯照明器具の消費電力を求め、この消費電力を、これ以前に求められている前記施設全体の照明器具の消費電力から減算し、この減算結果を照明器具の消費電力と推定し、この推定と、前記オン／オフ情報を用いた照明器具の消費電力の推定との何れかの推定処理を行う
ことを特徴とする電力監視システム。
【請求項８】
請求項３又は請求項４に記載の電力監視システムにあって、
前記ＰＣ情報取得手段は、前記コンピュータの作動状態の情報として当該コンピュータのオン／オフ情報及び負荷率情報を取得し、この取得情報を前記コンセント電力推定手段へ出力し、
前記コンセント電力推定手段は、前記ＰＣ情報取得手段で受信されたコンピュータのオン／オフ情報から、ＰＣのオン台数を求め、このオン台数にＰＣ１台当たりの消費電力と前記負荷率とを乗算し、この乗算の結果を含めて前記コンセント消費電力を推定する
ことを特徴とする電力監視システム。
【発明の詳細な説明】
【技術分野】
【０００１】
本発明は、ビルや工場等に設置される空調機器、照明機器、ＯＡ(Office Automation)機器等の各種機器の電力系統毎に、消費電力を推定して表示する電力監視装置及び電力監視システムに関する。
【背景技術】
【０００２】
近年、ビルや工場等の建築物を含む施設における電力の省エネルギー（以降、省エネとも略す）対策の１つとしてＢＥＭＳ(Building and Energy Management System)が導入されている。ＢＥＭＳは、建築物における空調系統、照明系統、コンセント系統等の各種電力系統毎に電力計を設置して系統毎に消費電力を計測し、各消費電力の推移を確認しながら電力の無駄を削減する、言い換えれば省エネ対策を行うためのシステムである。
【０００３】
この種のシステムとして、例えば特許文献１に記載のエネルギー管理システムがある。このシステムにおいては、ＰＣ(Personal computer)の起動停止や負荷率の情報を取得し、ＰＣの消費電力を推定している。この他、照明装置における照度の推定や、空調機器の熱量の変化を取得し、この取得した熱量の実測値と理論値とを比較して空調機器の効率の変化を計算し、効率悪化等の判定を行っている。
【先行技術文献】
【特許文献】
【０００４】
【特許文献１】特開２００４−２８０６１８号公報
【発明の概要】
【発明が解決しようとする課題】
【０００５】
しかし、特許文献１のシステムでは、オフィスビル等の建築物に多く導入されるＰＡＣ(packaged)空調機の消費電力の推定や、照明装置の消費電力の推定は行っていない。このため、建築物における空調系統、照明系統、コンセント系統等の各種電力系統毎に消費電力を推定することができない。従って、建築物における省エネ対策を適切に行うことができないという問題がある。
また、各種電力系統の消費電力を把握するために、各種電力系統毎に電力計を導入することも考えられるが、電力計は高価なため、多くの電力計を導入するには多大なコストが掛かるという問題がある。
【０００６】
本発明は、このような事情に鑑みてなされたものであり、施設における各種電力系統毎に消費電力を安価に推定することができる電力監視装置及び電力監視システムを提供することを目的とする。
【課題を解決するための手段】
【０００７】
上記課題を解決するために、本発明の電力監視装置は、管理対象である施設に設置されている空調機器の作動状況の情報を用いて当該空調機器の消費電力を推定する空調電力推定手段と、前記施設に設置されている複数の照明器具１台毎の作動状況の情報を用いて照明器具の消費電力を推定する照明電力推定手段と、前記施設に設置されている少なくともコンピュータの消費電力を含む、コンセント消費電力を推定するコンセント電力推定手段と、前記推定された前記空調機器の消費電力、前記照明器具の消費電力、前記コンセント消費電力を合計した合計消費電力を求め、この合計消費電力に対する前記空調機器、前記照明器具及び前記コンセントの各電力系統の消費電力割合を求める電力割合演算手段と、前記施設に設置されている電力計で計測される当該施設全体の消費電力を、前記電力割合演算手段で求められた各電力系統の消費電力割合で比例配分して各電力系統の消費電力を求める電力換算手段とを備えるようにした。
また、本発明の電力監視システムは、上記の電力監視装置と、前記施設全体の電気設備の消費電力を計測する電力計と、前記施設全体の空調機器の作動状態の情報を取得して前記通信回線を介して前記空調電力推定手段へ送信する通信手段と、前記施設全体の照明器具１台毎の作動状態の情報を取得して前記通信回線を介して前記照明電力推定手段へ送信する照明制御手段と、前記施設全体の少なくともコンピュータの作動状態の情報を取得して前記通信回線を介して前記コンセント電力推定手段へ送信するＰＣ情報取得手段とを備え、前記電力監視装置において、前記空調電力推定手段は、前記通信手段から受信された空調機器の作動状態の情報を用いて前記空調機器の消費電力を推定し、前記照明電力推定手段は、前記照明制御手段から受信された照明器具１台毎の作動状態の情報を用いて前記照明器具の消費電力を推定し、前記コンセント電力推定手段は、前記ＰＣ情報取得手段から受信された少なくともコンピュータの作動状態の情報を用いて前記コンセント消費電力を推定し、前記電力割合演算手段は、前記推定された前記空調機器の消費電力、前記照明器具の消費電力、前記コンセント消費電力を用いて前記各電力系統の消費電力割合を求め、前記電力換算手段は、前記電力計で計測される施設全体の消費電力を通信回線を介して受信し、この受信した消費電力を前記消費電力割合で比例配分して前記各電力系統の消費電力を求めるようにした。
【発明の効果】
【０００８】
本発明によれば、施設における各種電力系統毎に消費電力を安価に推定することができる電力監視装置及び電力監視システムを提供することができる。
【図面の簡単な説明】
【０００９】
【図１】本発明の実施形態に係る電力監視システムの構成を示すブロック図である。
【図２】本実施形態に係る電力監視システムにおける電力監視装置の構成を示すブロック図である。
【図３】電力監視装置のデータベース部におけるＩＤ番号、登録ＩＤ番号、座席座標情報、照明座標情報、照明グループ情報の対応関係を示す図である。
【図４】電力監視装置で求められる１日の消費電力推定値と消費電力実測値との関係を示す図である。
【図５】電力監視装置の一構成例を示すブロック図である。
【図６】電力監視システムにより空調系統、照明系統、コンセント系統の各消費電力を推定により求めて表示する動作を説明するためのフローチャートである。
【図７】電力監視装置の照明電力推定部による照明系消費電力の第１の推定を行う動作を説明するためのフローチャートである。
【図８】電力監視装置の照明電力推定部による照明系消費電力の第２の推定を行う動作を説明するためのフローチャートである。
【図９】電力監視装置のコンセント電力推定部によるコンセント系消費電力の第１の推定を行う動作を説明するためのフローチャートである。
【図１０】電力監視装置のコンセント電力推定部によるコンセント系消費電力の第２の推定を行う動作を説明するためのフローチャートである。
【発明を実施するための形態】
【００１０】
以下、本発明の実施形態を、図面を参照して説明する。
＜実施形態の構成＞
図１は、本発明の実施形態に係る電力監視システム１０の構成を示すブロック図である。
電力監視システム１０は、管理対象の施設である建築物（例えばビル）における空調系統、照明系統、コンセント系統の各種電力系統毎に消費電力を推定して人に認識可能に表示を行うものである。この電力監視システム１０は、電力監視装置１１と、ビル全体の電気設備の消費電力を計測する電力計１２とを備え、電力監視装置１１に、ネットワーク回線１４に接続された通信アダプタ１５を介してＰＡＣ空調機２０が接続され、更に、ネットワーク回線１４を介して入退室管理システム３０、照明制御システム４０、ＰＣ情報取得システム５０及びその他システム６０が接続されて構成されている。但し、ネットワーク回線１４は、有線ＬＡＮ(Local Area Network)回線や無線ＬＡＮ回線等が用いられる。
【００１１】
ＰＡＣ空調機２０は、室外機２１と、この室外機２１に接続された複数の室内機２２ａ，２２ｂ，…，２２ｎとを備えて構成されている。このＰＡＣ空調機２０は、室外機２１及び各室内機２２ａ〜２２ｎの双方で冷暖房を行うための冷凍サイクルが構成されており、図示せぬ圧縮器、蒸発器、凝縮器、送風機等をその双方に適時組み込んだユニットとなっている。
【００１２】
更に、ＰＡＣ空調機２０は、室外機２１及び各室内機２２ａ〜２２ｎに図示せぬセンサを備え、このセンサで検出される室外機２１のモータ回転速度や電流値、室内機２２ａ〜２２ｎの吸込み温度及び吹出し温度、更には風量の設定値等のＰＡＣ空調機２０の作動状況に係る空調情報（作動状況の情報）２３を、ネットワーク回線１４を介して通信アダプタ１５へ出力する。通信アダプタ１５は、空調情報２３をネットワーク回線１４を介して電力監視装置１１へ出力する。なお、センサには、電流を計測（検出）する電流計等が含まれるものとする。
【００１３】
入退室管理システム３０は、ネットワーク回線１４に接続され、図示せぬ各部屋の出入口に設けられたカードリーダ３１を備え、人が入退室時に図示せぬカードをセンサに翳すことによりカードリーダ３１で読み取られたＩＤ(identification)番号等の入退室情報３３を、ネットワーク回線１４を介して電力監視装置１１へ出力する。但し、入退室情報３３に含まれるＩＤ番号には、カードリーダ３１で入室時又は退室時の何れに読み取られたかを示す入室情報又は退室情報が対応付けられている。なお、カードリーダ３１は、指紋、静脈、虹彩、顔等の個人特有の特徴を認証する生体認証用装置であってもよい。この場合、生体認証用装置で個人の特徴が認証されると、これに予め対応付けられた固有のＩＤ番号が入退室情報３２として電力監視装置１１へ出力される。
【００１４】
照明制御システム４０は、制御用信号線４１で複数の照明器具４２ａ，４２ｂ，…，４２ｎが接続されており、図示せぬ人感センサやカメラ等の情報に基いて各照明器具４２ａ〜４２ｎのオン／オフに係る制御を行い、この制御時の照明オン／オフ情報等の照明情報（作動状況の情報）４３を、ネットワーク回線１４を介して電力監視装置１１へ出力する。但し、照明情報４３は、各照明器具４２ａ〜４２ｎの１台毎のオン／オフ情報を含むものとする。
【００１５】
ＰＣ情報取得システム５０は、ネットワーク回線１４を介して複数のＰＣ５１ａ，５１ｂ，…，５１ｎが接続されており、各ＰＣ５１ａ〜５１ｎのオン／オフ情報及び稼働率情報等のＰＣ情報（作動状況の情報）５３を取得して、ネットワーク回線１４を介して電力監視装置１１へ出力する。
【００１６】
その他システム６０は、エレベータ、エスカレータ、自動ドア、防災機器、給湯器や、他の動力機器を備え、これらを制御するシステムである。
図２は電力監視装置１１の構成を示すブロック図である。電力監視装置１１は、例えばビルの中央監視室に設置されるものであり、空調情報受信部７１と、入退室情報受信部７２と、照明情報受信部７３と、ＰＣ情報受信部７４と、空調電力推定部７５と、照明電力推定部７６と、データベース部７７と、コンセント電力推定部７８と、電力割合演算部７９と、電力換算部８０と、表示部８１とを備えて構成されている。
【００１７】
データベース部７７は、登録ＩＤ番号７７ａと、座席座標情報７７ｂと、照明座標情報７７ｃと、照明グループ情報７７ｄと、照明消費電力情報７７ｅと、ＰＣ消費電力情報７７ｆとを予め記憶するものである。更に、データベース部７７においては、図３（ａ）に示すように、入退室情報３３のＩＤ番号に登録ＩＤ番号７７ａが対応付けられ、（ｂ）に示すように登録ＩＤ番号７７ａに人の座席位置を示す座席座標情報７７ｂが、（ｃ）に示すように座席座標情報７７ｂに照明器具（例えば図１に示す照明器具４２ａ）の位置を示す照明座標情報７７ｃが、（ｄ）に示すように照明座標情報７７ｃに当該照明座標情報７７ｃで示される位置の照明グループ（例えば照明器具４２ａ〜４２ｎ）及び当該グループの照明器具台数を示す照明グループ情報７７ｄが対応付けられ、テーブル化されている。
空調情報受信部７１は、例えば、予め定められた一定時間間隔でネットワーク回線１４を介して通信アダプタ１５（図１参照）から空調情報２３を受信する。
【００１８】
空調電力推定部７５は、空調情報受信部７１で受信された空調情報２３を用いて、ＰＡＣ空調機２０（図１参照）の消費電力を推定する。即ち、この例では、少なくとも、空調情報２３のうち室外機２１（図１参照）の電流値を用いて、ＰＡＣ空調機２０（図１参照）の消費電力を推定する。この推定は、受信した電流値ｉと、室外機２１の定格の電圧値ｖとの積（ｉ×ｖ）を計算して行う。但し、電圧値ｖは、予めカタログ等から取得して空調電力推定部７５の図示せぬ記憶手段に記憶しておく。また、ＰＡＣ空調機２０が３相電源の場合は、（√３）×ｉ×ｖによって消費電力を計算する。なお、交流の場合は力率も乗算する。このように一定時間間隔毎の消費電力を１週間等の所定期間求めて記憶手段に記憶しておき、平日や休日等に分けて１日の消費電力を推定する処理も行う。また、ＰＡＣ空調機２０の電圧は実測しても良い。更に、室外機２１のモータ回転速度から消費電力を推定しても良い。
【００１９】
この消費電力の推定により得られる消費電力推定値は、例えば図４に実線Ｌ１で示すように、平日における１日（２４時間）の消費電力推定値として求められる。この消費電力推定値Ｌ１は、実際の電流値ｉと定格の電圧値ｖとを用いて計算により推定しているので、図４に破線Ｌ２で示す消費電力実測値と略同じ値となる。
上記のように図２に示す空調電力推定部７５で推定される消費電力を空調系推定消費電力Ｐ１と呼び、これは電力割合演算部７９へ出力される。
【００２０】
入退室情報受信部７２は、一定時間間隔でネットワーク回線１４を介して入退室管理システム３０（図１参照）から入退室情報３３を受信する。
照明情報受信部７３は、例えば一定時間間隔でネットワーク回線１４を介して照明制御システム４０（図１参照）から照明情報４３を受信する。
【００２１】
照明電力推定部７６は、図３に示すようにデータベース部７７から、入退室情報受信部７２で受信された入退室情報３３のＩＤ番号に対応した登録ＩＤ番号７７ａを取得し、この登録ＩＤ番号７７ａに対応付けられた座席座標情報７７ｂを取得する。更に、その取得した座席座標情報７７ｂに対応付けられている照明座標情報７７ｃを取得し、この照明座標情報７７ｃで示される位置の照明グループ情報７７ｄを取得する。
【００２２】
更に、照明電力推定部７６は、その照明グループ情報７７ｄを取得した基となるＩＤ番号が入室時のものである場合、照明グループ情報７７ｄで示されるグループの照明器具４２ａ〜４２ｎが点灯したと判断する。但し、既に点灯と判断されている同一グループの人が入室した際は、グループが重複するので点灯の判断は行われず無処理となる。この判断後、データベース部７７から照明器具４２ａ〜４２ｎの１台当たりの消費電力ｐを示す照明消費電力情報７７ｅを取得し、点灯状態の照明器具４２ａ〜４２ｎの台数ｎに１台消費電力ｐを乗算（ｎ×ｐ）し、その点灯照明グループの消費電力を求める。この消費電力を、同様の手法で、これ以前に求められているビル全体の照明系の推定消費電力に加算し、この加算結果をビル全体の照明系推定消費電力Ｐ２と推定する処理を行う。なお、照明器具１台当たりの消費電力はカタログ等から求められる。この推定処理では、実際の照明器具４２ａ〜４２ｎのオン／オフ状態を検出しなくても、人の入退出を検出することによって照明系の消費電力を推定することができる。従って、照明系個々のオン／オフを配線接続により検出する等の配線経路を不要とすることが可能である。
【００２３】
一方、照明電力推定部７６は、照明グループ情報７７ｄを取得した基となるＩＤ番号が退室時のものである場合、照明グループ情報７７ｄで示されるグループの照明器具４２ａ〜４２ｎが消灯したと判断する。但し、点灯と判断されている同一グループに複数人による複数のＩＤ番号が認識されている場合は、最後に残った１つのＩＤ番号が退室時に消灯と判断される。この判断時は、その消灯照明グループの消費電力を、これ以前に求められているビル全体の照明系推定消費電力から減算し、この減算結果をビル全体の照明系推定消費電力と推定する処理を行う。
【００２４】
また、照明電力推定部７６は、照明情報受信部７３で受信された照明情報４３の照明機器１台毎の作動状況の情報を用いて、照明器具４２ａ〜４２ｎの消費電力を求める推定を行う。その照明情報４３の照明機器１台毎の作動状況の情報とは、少なくとも、照明情報受信部７３で受信された照明情報４３の照明機器１台毎のオン／オフ情報であり、このオン／オフ情報から、照明器具４２ａ〜４２ｎの点灯台数ｎを求め、データベース部７７から照明消費電力情報７７ｅを取得し、点灯台数ｎに照明１台消費電力ｐを乗算（ｎ×ｐ）して、その点灯台数ｎの消費電力を求める推定を行う。この推定処理では、実際の照明機器１台毎のオン／オフ情報を用いて照明系の消費電力を推定するので、より正確に消費電力を求めることができる。
従って、照明電力推定部７６は、入退室情報３３を用いて点灯照明グループの消費電力を求める推定処理、及び、照明情報４３を用いて照明器具点灯台数ｎの消費電力を求める推定処理の何れか一方を行う。何れの推定処理を行うかは任意に設定可能となっている。なお、両方の推定処理を行って平均を取っても良い。
【００２５】
上記のように照明電力推定部７６で推定される消費電力を照明系推定消費電力Ｐ２と呼び、これは電力割合演算部７９へ出力される。
ＰＣ情報受信部７４は、例えば、一定時間間隔でネットワーク回線１４を介してＰＣ情報取得システム５０（図１参照）からＰＣ情報５３を受信する。
【００２６】
コンセント電力推定部７８は、ＰＣ情報受信部７４で受信されたＰＣ情報５３における各ＰＣ５１ａ〜５１ｎの作動状況の情報を用いて、オンＰＣの消費電力を求め、少なくとも、そのオンＰＣの消費電力をコンセント消費電力とする推定を行う。各ＰＣ５１ａ〜５１ｎの作動状況の情報とは、少なくとも、ＰＣ情報受信部７４で受信されたＰＣ情報５３における各ＰＣ５１ａ〜５１ｎのオン／オフ情報であり、このオン／オフ情報から、ＰＣ５１ａ〜５１ｎがオンの場合にデータベース部７７からＰＣ１台当たりの消費電力ｐｐを示すＰＣ消費電力情報７７ｆを取得し、オンのＰＣ台数ｍに１台消費電力ｐｐを乗算（ｍ×ｐｐ）して、各オンＰＣのトータル消費電力を求め、これをコンセント消費電力とする推定を行う。なお、ＰＣ１台当たりの消費電力はカタログ等から求められる。
【００２７】
また、コンセント電力推定部７８は、１台のオンＰＣ（例えば５１ａ）の消費電力を求め、この消費電力値に、当該ＰＣ５１ａの負荷率情報から分かる負荷率を乗算して、より適正な消費電力を求める。この処理をオンＰＣ全てに行い、全てのオンＰＣ５１ａ〜５１ｎをトータルした消費電力を求め、これをコンセント消費電力とする推定を行う。
【００２８】
従って、コンセント電力推定部７８は、ＰＣ情報５３を用いてオン状態のＰＣ５１ａ〜５１ｎのトータル消費電力からコンセント消費電力を求める推定処理、及び、オン状態のＰＣ５１ａ〜５１ｎに稼働率を加味したより適正なトータル消費電力からコンセント消費電力を求める推定処理の何れか一方を行う。何れを行うかは任意に設定可能となっている。なお、コンセント電力推定部７８は、ネットワーク回線１４を介して図示せぬコピー機やＦＡＸ（ファクシミリ）装置等のＯＡ(Office Automation)機器のオン／オフ情報を受信して消費電力を推定し、これをコンセント消費電力に含めても良い。この際にも、ＯＡ機器の負荷情報を加味しても良い。
上記のようにコンセント電力推定部７８で推定される消費電力をコンセント系推定消費電力Ｐ３と呼び、これは電力割合演算部７９へ出力される。
【００２９】
電力割合演算部７９は、空調系推定消費電力Ｐ１、照明系推定消費電力Ｐ２及びコンセント系推定消費電力Ｐ３のトータル消費電力に対する各系統の推定消費電力の割合である消費電力割合を演算により求める。これは１時間単位、１日単位など予め定められた時間単位毎の消費電力割合を求める。なお、空調系推定消費電力Ｐ１、照明系推定消費電力Ｐ２及びコンセント系推定消費電力Ｐ３を、単に、Ｐ１、Ｐ２、Ｐ３とも略す。
【００３０】
電力換算部８０は、電力計１２で計測されるビル全体（施設）の消費電力を、電力割合演算部７９で求められた電力系統毎の消費電力割合で比例配分する計算を行い、電力系統毎の消費電力を求める。
表示部８１は、電力換算部８０で求められた電力系統毎の消費電力を図示せぬディスプレイに人が認識可能に表示する。なお、ディスプレイは、本実施形態の場合、ビルの中央監視画面となる。
【００３１】
このような構成の電力監視装置１１は、図５に示すようにＣＰＵ(Central Processing Unit)１０１ａ、ＲＯＭ(Read Only Memory)１０１ｂ、ＲＡＭ(Random Access Memory)１０１ｃ、データベース部７７が構築される記憶装置(HDD：Hard Disk Drive等)１０１ｄを備え、これら構成要素１０１ａ〜１０１ｄがバス１０２に接続された一般的な構成となっている。このような構成において、例えばＣＰＵ１０１ａがＲＯＭ１０１ｂに書き込まれたプログラム１０１ｆを実行して、上述した電力監視装置１１の各処理制御を実現するようになっている。
【００３２】
＜実施形態の動作＞
次に、上記構成の電力監視システム１０により空調系統、照明系統、コンセント系統の各消費電力を推定により求めて表示する動作を、図６に示すフローチャートを参照して説明する。但し、図１に示すＰＡＣ空調機２０は３相交流電源が用いられているものとする。
【００３３】
図６に示すステップＳ１において、電力計１２によりビル全体の電気設備の実測の消費電力が計測される。
ステップＳ２において、図２に示す電力監視装置１１の空調情報受信部７１により、ネットワーク回線１４を介して図１に示す通信アダプタ１５で取得されたＰＡＣ空調機２０の空調情報２３が受信される。この空調情報２３には、ＰＡＣ空調機２０における室外機２１の電流値ｉ、室内機２２ａ〜２２ｎの吸込み温度及び吹出し温度、更に風量の設定値等の各情報が含まれる。
【００３４】
次に、ステップＳ３において、空調電力推定部７５により、その受信された空調情報２３に含まれる電流値ｉと、予め記憶手段（図示せず）に記憶した室外機２１の定格電圧値ｖとが用いられ、（√３）×ｉ×ｖ×ｃｏｓθの計算により、ＰＡＣ空調機２０の消費電力が求められる推定が行われる。
この推定された消費電力は、ステップＳ４において、空調系推定消費電力Ｐ１として電力割合演算部７９へ出力される。
【００３５】
次に、ステップＳ５において、入退室情報受信部７２によりネットワーク回線１４を介して図１に示す入退室管理システム３０から入退室情報３３が受信される。この入退室情報３３は、ビルの各部屋の出入口に設けられたカードリーダ３１のセンサに、人が入退室時にカードを翳した際に読み取られたＩＤ番号「例えば８８８」と、このＩＤ番号「８８８」に対応付けられた入室情報又は退室情報とを含んで構成されている。
【００３６】
更に、ステップＳ６において、照明情報受信部７３によりネットワーク回線１４を介して図１に示す照明制御システム４０から照明情報４３が受信される。この照明情報４３は、各照明器具４２ａ〜４２ｎをオン／オフした際の照明器具１台毎のオン／オフ情報を含んで構成されている。
【００３７】
次に、ステップＳ７において、照明電力推定部７６で点灯状態の照明器具４２ａ〜４２ｎのトータル消費電力が推定される。この推定は、図７又は図８に示すサブルーチン処理において実行される。但し、照明電力推定部７６で何れのサブルーチン処理を行うかは、電力監視装置１１において図示せぬ設定手段により人が任意に設定するようになっている。
図７は、照明電力推定部７６による照明系消費電力の第１の推定を行う動作を説明するためのフローチャートである。
図７に示すステップＳ２１において、照明電力推定部７６により、上記ステップＳ５で受信された入退室情報３３のＩＤ番号「８８８」に対応した登録ＩＤ番号７７ａ「８８８」がデータベース部７７から取得される。
【００３８】
次に、ステップＳ２２において、照明電力推定部７６により、データベース部７７から、取得登録ＩＤ番号７７ａ「８８８」に対応付けられた人の座席位置「ｘ２ｙ５」を示す座席座標情報７７ｂが取得され、座席位置「ｘ２ｙ５」が認識される。
更に、ステップＳ２３において、照明電力推定部７６により、その認識された座席位置「ｘ２ｙ５」に対応付けられている照明器具（例えば図１に示す照明器具４２ａ）の位置「ｘ２ｙ５Ｌ」を示す照明座標情報７７ｃがデータベース部７７から取得され、照明位置「ｘ２ｙ５Ｌ」が認識される。
【００３９】
次に、ステップＳ２４において、照明電力推定部７６により、その認識された照明位置「ｘ２ｙ５Ｌ」の照明グループ（例えば照明器具４２ａ〜４２ｎ）「Ｇ１」及び当該照明グループ「Ｇ１」の照明器具台数ｎを示す照明グループ情報７７ｄが取得される。これにより、照明グループ「Ｇ１」及びその照明器具台数ｎが認識される。
【００４０】
次に、ステップＳ２５において、照明電力推定部７６により、その取得された照明グループ「Ｇ１」の照明器具４２ａ〜４２ｎが点灯したか、消灯したかが判断される。この判断は、照明グループ「Ｇ１」を取得した基となるＩＤ番号「８８８」が入室時のものであれば点灯、退室時のものであれば消灯と判断される。
【００４１】
点灯と判断された場合、ステップＳ２６において、照明電力推定部７６により、データベース部７７から照明器具１台当たりの消費電力ｐを示す照明消費電力情報７７ｅが取得され、点灯照明グループ「Ｇ１」の照明器具台数ｎに、その１台消費電力ｐが乗算（ｎ×ｐ）される。これにより、点灯照明グループ「Ｇ１」の消費電力が求められる。
【００４２】
次に、ステップＳ２７において、照明電力推定部７６により、その点灯照明グループ「Ｇ１」の消費電力が、これ以前に求められているビル全体の照明系推定消費電力に加算され、この加算結果がビル全体の照明系の消費電力と推定される。
一方、上記ステップＳ２５で消灯と判断された場合、ステップＳ２８において、その消灯照明グループ「Ｇ１」の消費電力が上記ステップＳ２６と同様に求められ、これ以前に求められているビル全体の照明系の消費電力から減算される。この減算結果がビル全体の照明系の消費電力と推定される。
【００４３】
次に、照明電力推定部７６による照明系消費電力の第２の推定は、図８のサブルーチン処理のように行われる。
即ち、図８に示すステップＳ３１において、照明電力推定部７６により、照明情報受信部７３で受信された照明情報４３の照明機器１台毎のオン／オフ情報から、オン状態の照明器具４２ａ〜４２ｎが有るか否かが判断される。この結果、無し（Ｎｏ）と判断されると本サブルーチン処理を終了する。一方、有り（Ｙｅｓ）と判断されると、ステップＳ３２において、照明電力推定部７６により、照明器具４２ａ〜４２ｎの点灯台数ｎが求められる。
【００４４】
この後、ステップＳ３３において、照明電力推定部７６により、データベース部７７から照明消費電力情報７７ｅが取得され、点灯台数ｎに照明１台消費電力ｐが乗算（ｎ×ｐ）され、その点灯台数ｎの消費電力が求められる。これが、点灯状態の照明器具４２ａ〜４２ｎのトータル消費電力の推定値となる。
上記の図７又は図８に示す処理で推定される照明系の消費電力は、図６に示すステップＳ８において、照明系推定消費電力Ｐ２として電力割合演算部７９へ出力される。
【００４５】
次に、ステップＳ９において、ＰＣ情報受信部７４により、ネットワーク回線１４を介してＰＣ情報取得システム５０（図１参照）からＰＣ情報５３が受信される。このＰＣ情報５３は、各ＰＣ５１ａ〜５１ｎのオン／オフ情報及び稼働率情報を含んで構成されている。
【００４６】
そのＰＣ情報５３の受信後、ステップＳ１０において、コンセント電力推定部７８により、ＰＣ情報５３を用いて、コンセント系のトータル消費電力が推定される。この推定は、図９又は図１０に示すサブルーチン処理において実行される。但し、コンセント電力推定部７８で何れのサブルーチン処理を行うようにするかは、電力監視装置１１において人が任意に設定する。図９はコンセント電力推定部７８によるコンセント系消費電力の第１の推定を行う動作を説明するためのフローチャートである。
【００４７】
図９に示すステップＳ４１において、コンセント電力推定部７８により、ＰＣ情報５３における各ＰＣ５１ａ〜５１ｎのＰＣオン／オフ情報から、オン状態のＰＣ（オンＰＣ）が有るか否かが判断される。この結果、無し（Ｎｏ）と判断されると本サブルーチン処理が終了される。一方、有り（Ｙｅｓ）と判断されると、ステップＳ４２において、コンセント電力推定部７８により、オン状態のＰＣ台数ｍが求められる。
【００４８】
次に、ステップＳ４３において、コンセント電力推定部７８により、データベース部７７からＰＣ１台当たりの消費電力ｐｐを示すＰＣ消費電力情報７７ｆが取得される。これにより、ＰＣ１台当たりの消費電力ｐｐが認識される。
次に、ステップＳ４４において、コンセント電力推定部７８により、オン状態のＰＣ台数ｍにＰＣ１台消費電力ｐｐが乗算（ｍ×ｐｐ）されて、各オンＰＣのトータル消費電力が求められ、これがコンセント消費電力とされる推定が行われる。
【００４９】
次に、コンセント電力推定部７８によるコンセント系消費電力の第２の推定は、図１０のサブルーチン処理のように行われる。
即ち、図１０に示すステップＳ５１において、コンセント電力推定部７８により、ＰＣ情報５３におけるＰＣオン／オフ情報から、オン状態のＰＣが有るか否かが判断される。この結果、無し（Ｎｏ）と判断されると本サブルーチン処理が終了される。一方、有り（Ｙｅｓ）と判断されると、ステップＳ５２において、オン状態のＰＣ台数ｍが求められる。
【００５０】
次に、ステップＳ５３において、コンセント電力推定部７８により、データベース部７７からＰＣ消費電力情報７７ｆが取得され、これにより、ＰＣ１台当たりの消費電力ｐｐが認識される。
【００５１】
次に、ステップＳ５４において、コンセント電力推定部７８により、オン状態のＰＣ（例えば５１ａ〜５１ｎ）１台毎の消費電力に、ＰＣ情報５３に含まれる該当ＰＣの稼働率情報から分かる稼働率（例えば７０％）が乗算され、より適正な消費電力（適正消費電力）が求められる。更に、ステップＳ５５において、全てのオンＰＣ５１ａ〜５１ｎのより適正な消費電力が加算され、全てのオンＰＣ５１ａ〜５１ｎのトータル消費電力が求められ、これがコンセント消費電力とされる推定が行われる。
【００５２】
このように図６のステップＳ１０では、図９又は図１０に示す処理のようにコンセント系の消費電力が推定され、図６に示すステップＳ１１において、コンセント系推定消費電力Ｐ３として電力割合演算部７９へ出力される。
また、ステップＳ１０の処理後は、ステップＳ１２において、電力監視装置１１のＣＰＵ１０１ａによる判断手段により、次の計測時間となったか否かが判断される。この結果、次の計測時間となった場合（Ｙｅｓ）、ステップＳ１に戻って、ステップＳ１〜Ｓ１２の処理が繰り返される。
【００５３】
一方、上記ステップＳ４，Ｓ８，Ｓ１１において、空調系推定消費電力Ｐ１、照明系推定消費電力Ｐ２及びコンセント系推定消費電力Ｐ３が出力された後は、ステップＳ１３において、電力割合演算部７９により、Ｐ１，Ｐ２，Ｐ３のトータル消費電力が求められる。更に、電力割合演算部７９により、そのトータル消費電力に対する空調系統、照明系統、コンセント系統の各種電力系統の消費電力割合が演算により求められる。例えば、Ｐ１，Ｐ２，Ｐ３のトータル消費電力に対して、Ｐ１の割合が５０％、Ｐ２の割合が３０％、Ｐ３の割合が２０％と消費電力割合が求められる。この割合は電力換算部８０へ出力される。
【００５４】
次に、ステップＳ１４において、電力換算部８０により、電力計１２で計測されるビル全体の消費電力が取得される。更に、その取得されたビル全体の消費電力が、上記ステップＳ１２で求められた各電力系統の消費電力割合５０％，３０％，２０％で比例配分され、各電力系統の消費電力が求められる。例えば、ビル全体の消費電力が１０００ｋＷの場合、空調系消費電力は１０００ｋＷ×５０％＝５００ｋＷ、照明系消費電力は１０００ｋＷ×３０％＝３００ｋＷ、コンセント系消費電力は１０００ｋＷ×２０％＝２００ｋＷと求められる。
この求められた各電力系統の消費電力は、ステップＳ１５において、表示部８１により、ビルの中央監視画面（図示せず）に人が認識可能に表示される。
【００５５】
＜実施形態の効果＞
以上説明したように、本実施形態の電力監視装置１１は、管理対象である施設に設置されている空調機器としてのＰＡＣ空調機２０の作動状況の情報を用いてＰＡＣ空調機２０の消費電力を推定する空調電力推定手段と、施設に設置されている複数の照明器具４２ａ〜４２ｎの１台毎の作動状況の情報を用いて照明器具４２ａ〜４２ｎの消費電力を推定する照明電力推定手段と、施設に設置されている少なくともコンピュータであるＰＣ５１ａ〜５１ｎから当該ＰＣ５１ａ〜５１ｎの作動状況の情報を用いてＰＣ５１ａ〜５１ｎの消費電力を求め、少なくともＰＣ５１ａ〜５１ｎの消費電力を含むコンセント消費電力を推定するコンセント電力推定手段とを備える。
【００５６】
但し、データベース部７７、空調情報受信部７１及び空調電力推定部７５で空調電力推定手段が構成され、データベース部７７、照明情報受信部７３及び照明電力推定部７６で照明電力推定手段が構成され、データベース部７７、ＰＣ情報受信部７４及びコンセント電力推定部７８でコンセント電力推定手段が構成されている。
【００５７】
更に、電力監視装置１１は、上記推定されたＰＡＣ空調機２０の消費電力、照明器具４２ａ〜４２ｎの点灯台数分の消費電力、コンセント消費電力の全てを合計した合計消費電力を求め、この合計消費電力に対するＰＡＣ空調機２０を含む空調機器、照明器具４２ａ〜４２ｎ及びコンセントの各電力系統の消費電力割合を求める電力割合演算手段としての電力割合演算部７９と、施設に設置されている電力計１２で計測される消費電力計測対象全体の消費電力を、電力割合演算部７９で求められた各電力系統の消費電力割合で比例配分して各電力系統の消費電力を求める電力換算手段としての電力換算部８０とを備える構成とした。但し、消費電力計測対象とは建築物や他の構造物における電気設備全般である。
【００５８】
この構成によれば、空調系統、照明系統、コンセント系統等の各種電力系統毎に電力計を設置しなくても、各種電力系統毎に各種電気機器の動作や設定情報等を受信して、各種電力系統毎に消費電力を推定することができる。このため、各種電力系統毎に高価な電力計を設置する必要がないので、各種電力系統毎の消費電力を安価に推定することができる。従って、消費電力計測対象全体において、安価な電力監視装置１１で各種電力系統の消費電力を把握することができ、これにより、管理者等は不要な電気設備を停止する等の省エネルギー対策を安価で適切に行うことができる。
また、電力監視装置１１は、電力換算部８０で求められた各種電力系統の消費電力を表示する表示部８１を更に備える構成とした。この構成によれば、各種電力系統毎に推定した消費電力を表示することができるので、人が各種電力系統毎に消費電力を容易に認識可能となる。
【００５９】
また、本実施形態の電力監視システム１０は、上述した電力監視装置１１と、ビルや工場等の施設全体の電気設備の消費電力を計測する電力計１２と、施設全体の空調機器の動作時の電流値を計測するセンサから、電流値を取得してネットワーク回線１４を介して空調電力推定手段へ送信する通信アダプタ（通信手段）１５と、施設全体の照明器具４２ａ〜４２ｎ１台毎のオン／オフ情報を取得してネットワーク回線１４を介して照明電力推定手段へ送信する照明制御システム４０と、施設全体の各ＰＣのオン／オフ情報を取得してネットワーク回線１４を介してコンセント電力推定手段へ送信するＰＣ情報取得システム５０とを備える。
【００６０】
更に、電力監視システム１０は、電力監視装置１１において、空調電力推定手段は、通信アダプタ１５から受信された電流値を用いてＰＡＣ空調機２０の消費電力を推定し、照明電力推定手段は、照明制御システム４０から受信された照明器具４２ａ〜４２ｎ１台毎のオン／オフ情報を用いて照明器具４２ａ〜４２ｎの点灯台数分の消費電力を推定し、コンセント電力推定手段は、少なくともＰＣ情報取得システム５０から受信された各ＰＣ５１ａ〜５１ｎのオン／オフ情報を用いてコンセント消費電力を推定する。更には、電力割合演算部７９は、推定された空調機器の消費電力、照明器具４２ａ〜４２ｎの点灯台数分の消費電力、コンセント消費電力を用いて各電力系統の消費電力割合を求め、電力換算部８０は、電力計１２で計測される電気設備の消費電力をネットワーク回線１４を介して受信し、この受信した消費電力を消費電力割合で比例配分して各電力系統の消費電力を求める構成とした。
【００６１】
この構成によれば、電力監視装置１１によって、施設の電気設備における空調系統、照明系統、コンセント系統等の各種電力系統毎に電力計を設置しなくても、各種電力系統毎に各種電気機器の動作や設定情報等を受信して、各種電力系統毎に消費電力を推定することができる。このため、各種電力系統毎に高価な電力計を設置する必要がないので、管理者等は各種電力系統毎の消費電力を安価に推定しながら、不要な電気設備を停止する等の省エネ対策を適切に行うことができる。例えば、空調系の消費電力からその稼働状態を現在の気候と対比し、必要以上に稼働している際に不要なＰＡＣ空調機２０等の空調系を停止して省エネを図ることができる。
【００６２】
また、通信回線としてのネットワーク回線１４は、無線ＬＡＮ回線である構成とした。
この構成によれば、施設の各種電力系統の係る通信アダプタ１５、照明制御システム４０、ＰＣ情報取得システム５０等の通信機能を含む設備と、電力監視装置１１とを無線で接続するので、有線接続に比べ、設備コストを安価にすることができる。
【００６３】
また、施設に設けられた各部屋の出入口に設置され、固有情報としてのＩＤ番号を記憶するカードから当該ＩＤ番号を読み取るカードリーダ３１を有し、当該カードリーダ３１で読み取られた各部屋への人の入室又は退室情報が付されたＩＤ番号を、ネットワーク回線１４を介して照明電力推定手段へ送信する入退室管理システム（入退室管理手段）３０を更に備える。そして、照明電力推定手段は、入退室管理システム３０から受信されたＩＤ番号に対応する座席位置を認識し、この座席位置に予め対応付けられた所定台数の照明器具４２ａ〜４２ｎが、当該ＩＤ番号に入室情報が付されている場合は点灯と判断し、この点灯台数に照明器具４２ａ〜４２ｎ１台当たりの消費電力を乗算して点灯照明器具４２ａ〜４２ｎの消費電力を求め、この消費電力を、これ以前に求められている施設全体の照明器具４２ａ〜４２ｎの消費電力に加算し、この加算結果を照明器具４２ａ〜４２ｎの消費電力と推定し、この推定と、上記のオン／オフ情報を用いた照明器具４２ａ〜４２ｎの消費電力の推定との何れかの推定処理を行う構成とした。この構成の場合、照明電力推定手段は、入退室情報受信部７２を更に備えて構成される。
【００６４】
この構成によれば、照明電力推定手段は、施設においてカードリーダ３１で読み取られた各部屋への人の入室又は退室情報が付されたＩＤ番号に基き、照明器具４２ａ〜４２ｎの消費電力を推定することができる。
【００６５】
また、照明電力推定手段は、ＩＤ番号に退室情報が付されている場合は消灯と判断し、この消灯台数に照明器具４２ａ〜４２ｎ１台当たりの消費電力を乗算して消灯照明器具４２ａ〜４２ｎの消費電力を求め、この消費電力を、これ以前に求められている施設全体の照明器具４２ａ〜４２ｎの消費電力から減算し、この減算結果を照明器具４２ａ〜４２ｎの消費電力と推定し、この推定と、オン／オフ情報を用いた照明器具４２ａ〜４２ｎの消費電力の推定との何れかの推定処理を行う構成とした。
【００６６】
この構成によれば、照明電力推定手段は、照明器具４２ａ〜４２ｎの消灯時にも、この消灯した消費電力を照明系全体の消費電力から減算して、より適正な消費電力を推定することができる。
【００６７】
また、ＰＣ情報取得システム５０は、各ＰＣ５１ａ〜５１ｎのオン／オフ情報に加え当該各ＰＣ５１ａ〜５１ｎの稼働率情報を取得して双方を対応付けてコンセント電力推定手段へ出力する。コンセント電力推定手段は、ＰＣ情報取得システム５０から受信された各ＰＣ５１ａ〜５１ｎのオン／オフ情報から、ＰＣ５１ａ〜５１ｎのオン台数を求め、このオン台数にＰＣ１台当たりの消費電力と稼働率とを乗算してコンセント消費電力を推定する構成とした。
この構成によれば、各ＰＣ５１ａ〜５１ｎの稼働率を加味して各ＰＣ５１ａ〜５１ｎの消費電力を推定するので、より正確に消費電力を推定することができる。
【００６８】
＜実施形態の変形例１＞
図１に示す電力割合演算部７９で、上述のように推定された空調系推定消費電力Ｐ１、照明系推定消費電力Ｐ２及びコンセント系推定消費電力Ｐ３の合計消費電力を、電力計１２で計測されたビル全体の消費電力から減算し、この減算により得られる消費電力を、その他システム６０の消費電力（Ｐ４とする）と推定する。この後、電力割合演算部７９は、ビル全体の消費電力に対する各消費電力Ｐ１，Ｐ２，Ｐ３及びＰ４の割合を求める。例えば、Ｐ１の割合が４０％、Ｐ２の割合が３０％、Ｐ３の割合が１０％、Ｐ４の割合が２０％と求められる。
【００６９】
次に、電力換算部８０は、電力計１２で計測されるビル全体の消費電力を、上記Ｐ１〜Ｐ４の割合で比例配分し、各電力系統の消費電力を求める。例えば、ビル全体の消費電力が１０００ｋＷの場合、空調系消費電力は１０００ｋＷ×４０％＝４００ｋＷ、照明系消費電力は１０００ｋＷ×３０％＝３００ｋＷ、コンセント系消費電力は１０００ｋＷ×１０％＝１００ｋＷ、その他システム系消費電力は１０００ｋＷ×２０％＝２００ｋＷと求める。
【００７０】
この求められた各電力系統の消費電力が、表示部８１により、ビルの中央監視画面（図示せず）に人が認識可能に表示される。
このように、その他システム６０の消費電力も推定するようにすれば、ビル全体の消費電力をより正確に各種電力系統に分類して表示することができる。
【００７１】
＜実施形態の変形例２＞
ビルのフロア毎に電力計を備え、フロア毎に図１に示した電力監視システム１０を構築してもよい。
この場合、複数階建のビル等の施設における各階のフロア毎に、電気設備の消費電力を計測する電力計１２と、通信アダプタ１５と、入退出管理システム３０と、照明制御システム４０と、ＰＣ情報取得システム５０とを備える。
【００７２】
電力監視装置１１においては、空調電力推定手段が、フロア毎の通信アダプタ１５から受信された電流値を用いて当該フロア毎にＰＡＣ空調機２０の消費電力を推定する。照明電力推定手段が、フロア毎の照明制御システム４０から受信された照明器具１台毎のオン／オフ情報を用いて当該フロア毎に照明器具４２ａ〜４２ｎの点灯台数分の消費電力を推定する。コンセント電力推定手段が、フロア毎のＰＣ情報取得システム５０から受信された各ＰＣ５１ａ〜５１ｎのオン／オフ情報を用いて当該フロア毎にコンセント消費電力を推定する。
【００７３】
更に、電力割合演算部７９が、フロア毎に推定されたＰＡＣ空調機２０の消費電力、照明器具４２ａ〜４２ｎの点灯台数分の消費電力、コンセント消費電力の全てを用いて当該フロア毎に各電力系統の消費電力割合を求める。更に、電力換算部８０が、フロア毎の電力計１２で計測される当該フロア毎の電気設備の消費電力をネットワーク回線１４を介して受信し、この受信したフロア毎の消費電力をフロア毎の消費電力割合で比例配分してフロア毎に各電力系統の消費電力を求める。そして、表示部８１がフロア毎に各種電力系統の消費電力を表示するように構成する。
【００７４】
この構成によれば、フロア毎に各種電力系統の消費電力を中央監視盤で見ることが可能となる。従って、より詳細に各種電気設備の稼動停止設定を行い、より効果的な省エネ化を図ることができる。
【００７５】
＜実施形態の変形例３＞
ビルのテナント毎に電力計を備え、テナント毎に電力監視システム１０を構築してもよい。この場合、テナント毎に各種電力系統の消費電力を中央監視盤で見ることが可能となる。従って、テナント毎に各種電気設備の稼動停止設定を行い、より効果的な省エネ化を図ることができる。
【００７６】
なお、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることも可能であり、また、ある実施形態の構成に他の実施形態の構成を加えることも可能である。また、各実施形態の構成の一部について、他の構成の追加・削除・置換をすることが可能である。
【００７７】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウエアで実現してもよい。各機能を実現するプログラム、テーブル、ファイル等の情報は、メモリや、ハードディスク、ＳＳＤ(Solid State Drive)等の記録装置、又は、ＩＣ(Integrated Circuit)カード、ＳＤ(Secure Digital memory)カード、ＤＶＤ(Digital Versatile Disc)等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７８】
１０  電力監視システム
１１  電力監視装置
１２  電力計
１４  ネットワーク回線（通信回線）
１５  通信アダプタ（通信手段）
２０  ＰＡＣ空調機
２１  室外機
２２ａ〜２２ｎ  室内機
２３  空調情報
３０  入退室管理システム（入退室管理手段）
３１  カードリーダ
３３  入退室情報
４０  照明制御システム（照明制御手段）
４２ａ〜４２ｎ  照明器具
４３  照明情報
５０  ＰＣ情報取得システム（ＰＣ情報取得手段）
５１ａ〜５１ｎ  ＰＣ
５３  ＰＣ情報
６０  その他システム
７１  空調情報受信部（空調電力推定手段）
７２  入退室情報受信部（照明電力推定手段）
７３  照明情報受信部（照明電力推定手段）
７４  ＰＣ情報受信部（コンセント電力推定手段）
７５  空調電力推定部（空調電力推定手段）
７６  照明電力推定部（照明電力推定手段）
７７  データベース部（空調電力推定手段）（照明電力推定手段）（コンセント電力推定手段）
７８  コンセント電力推定部（コンセント電力推定手段）
７９  電力割合演算部（電力割合演算手段）
８０  電力換算部（電力換算手段）
８１  表示部（表示手段）
７７ａ  登録ＩＤ番号
７７ｂ  座席座標情報
７７ｃ  照明座標情報
７７ｄ  照明グループ情報
７７ｅ  照明消費電力情報
７７ｆ  ＰＣ消費電力情報
【図１】
2014120108.tif 000003
【図２】
2014120108.tif 000004
【図３】
2014120108.tif 000005
【図４】
2014120108.tif 000006
【図５】
2014120108.tif 000007
【図６】
2014120108.tif 000008
【図７】
2014120108.tif 000009
【図８】
2014120108.tif 000010
【図９】
2014120108.tif 000011
【図１０】
2014120108.tif 000012